(57)【要約】【課題】電磁波を照射することにより乾燥対象物を乾燥する乾燥機をより適切に制御する技術を提供する。【解決手段】洗濯乾燥機５０は、乾燥対象物を収容する回転槽１と、回転槽１に収容された乾燥対象物に含有される水分を加熱して乾燥対象物を乾燥するために回転槽１内に電磁波を照射するマイクロ波照射部と、マイクロ波照射部により回転槽１内に電磁波が照射されているときに電磁波の強度を検知するマイクロ波検知部と、マイクロ波照射部を制御するマイクロ波制御装置とを備える。マイクロ波制御装置は、マイクロ波検知部により検知された電磁波の強度を取得する強度取得部と、強度取得部により取得された電磁波の強度に応じてマイクロ波照射部の出力を平滑化する平滑化部とを備える。【選択図】図１
2020116097.tif 000002
【特許請求の範囲】
【請求項１】
乾燥対象物を収容する槽と、
前記槽に収容された前記乾燥対象物に含有される水分を加熱して前記乾燥対象物を乾燥するために前記槽内に電磁波を照射する照射部と、
前記照射部により前記槽内に電磁波が照射されているときに電磁波の強度を検知する検知部と、
前記照射部を制御する制御部と、
を備え、
前記制御部は、
前記検知部により検知された電磁波の強度を取得する強度取得部と、
前記強度取得部により取得された電磁波の強度に応じて、前記照射部の出力を調整して電磁波の強度を平滑化する平滑化部と、
を備えることを特徴とする乾燥機。
【請求項２】
前記平滑化部は、前記検知部により検知された電磁波の強度が所定の上限値よりも高いときに前記照射部の出力を下げることを特徴とする請求項１に記載の乾燥機。
【請求項３】
前記平滑化部は、前記検知部により検知された電磁波の強度が所定の下限値よりも低いときに前記照射部の出力を上げることを特徴とする請求項１又は２に記載の乾燥機。
【請求項４】
前記平滑化部は、前記検知部により検知された電磁波の強度が所定の上限値よりも高いときに前記照射部の出力を停止させることを特徴とする請求項１から３のいずれかに記載の乾燥機。
【請求項５】
前記平滑化部は、前記検知部により検知された電磁波の強度の時間変化に応じて前記照射部の出力を調整することを特徴とする請求項１から４のいずれかに記載の乾燥機。
【請求項６】
前記平滑化部は、前記検知部により検知された電磁波の強度にリアルタイムに追従して前記照射部の出力を調整することを特徴とする請求項５に記載の乾燥機。
【請求項７】
前記平滑化部は、前記検知部により検知された電磁波の強度の周期を検知し、検知された周期における電磁波の強度の時間変化に応じて前記照射部の出力を調整することを特徴とする請求項５に記載の乾燥機。
【請求項８】
前記照射部は、２．４５ＧＨｚ帯又は９１５ＭＨｚ帯の周波数の電磁波を前記槽に照射し、
前記検知部は、２．４５ＧＨｚ帯又は９１５ＭＨｚ帯の周波数の電磁波の強度を検知する
ことを特徴とする請求項１から７のいずれかに記載の乾燥機。
【請求項９】
前記検知部は、前記槽から反射された反射波の強度を検知することを特徴とする請求項１から８のいずれかに記載の乾燥機。
【請求項１０】
前記検知部は、前記槽内に照射される入射波と前記槽から反射された反射波の合成波の強度を検知することを特徴とする請求項１から８のいずれかに記載の乾燥機。
【請求項１１】
前記検知部は、前記槽の外側に設けられ、前記槽から漏洩した電磁波の強度を検知することを特徴とする請求項１から８のいずれかに記載の乾燥機。
【請求項１２】
前記検知部は、前記槽の内側に設けられ、前記槽内の電磁波の強度を検知することを特徴とする請求項１から８のいずれかに記載の乾燥機。
【請求項１３】
槽に収容された乾燥対象物に含有される水分を加熱して前記乾燥対象物を乾燥するために前記槽内に電磁波が照射されたときに、電磁波の強度を取得する強度取得部と、
前記強度取得部により取得された電磁波の強度に応じて、照射部の出力を調整して電磁波の強度を平滑化する平滑化部と、
を備えることを特徴とする制御装置。
【請求項１４】
コンピュータを、
槽に収容された乾燥対象物に含有される水分を加熱して前記乾燥対象物を乾燥するために前記槽内に電磁波が照射されたときに、電磁波の強度を取得する強度取得部、
前記強度取得部により取得された電磁波の強度に応じて、照射部の出力を調整して電磁波の強度を平滑化する平滑化部、
として機能させるための制御プログラム。
【発明の詳細な説明】
【技術分野】
【０００１】
本発明は、衣類などの乾燥対象物を乾燥する乾燥機、その乾燥機を制御する制御装置、及び制御プログラムに関する。
【背景技術】
【０００２】
衣類乾燥機や洗濯乾燥機の乾燥性能の高速化を図る方法として、衣類の水分を加熱する熱源にマイクロ波を用いる方法がある（例えば、特許文献１参照）。この方法によれば、衣類にマイクロ波を照射し、衣類の水分を直接加熱することで、すばやく衣類の水分を蒸発させることができるため、従来のヒータやヒートポンプを用いた温風乾燥と比較して、短時間で衣類を乾燥させることができる。
【０００３】
図１５は、特許文献１に記載された従来の衣類乾燥機のブロック図である。この衣類乾燥機は、衣類にマイクロ波を照射するマイクロ波照射手段１０１と、衣類を収納する衣類庫１０２と、衣類庫１０２内に外気を取り込み衣類庫１０２内の空気を送り出す送風機１０３と、衣類を乾燥するためのヒータ１０４と、マイクロ波照射手段１０１を制御するマイクロ波制御手段１０５と、マイクロ波の反射の状態を感知するマイクロ波反射検知手段１０６と、マイクロ波制御手段１０５を制御する制御回路１０７を備えたものである。
【０００４】
この構成の衣類乾燥機は、マイクロ波により、衣類繊維に付着した水を直接加熱することにより、衣類の含水率が約３０％以下の場合に衣類の乾燥時間を短縮することができる。また、衣類に金属ボタンなどがついている場合、マイクロ波の反射波に異常が生じたことを検知して、マイクロ波の照射を停止することができる。
【先行技術文献】
【特許文献】
【０００５】
【特許文献１】特開２００８−０００２４９号公報
【発明の概要】
【発明が解決しようとする課題】
【０００６】
衣類庫１０２内に収納された衣類にボタンやファスナーなどの金属がついている場合、衣類庫１０２内のマイクロ波の電界強度が強くなってスパークが生じると危険であるため、金属がついた衣類が収納されている場合であってもスパークの発生をより低減させることが可能な技術が不可欠である。
【０００７】
本発明は、前記従来の課題を解決するもので、電磁波を照射することにより乾燥対象物を乾燥する乾燥機をより適切に制御する技術を提供することを目的とする。
【課題を解決するための手段】
【０００８】
上記課題を解決するために、本発明のある態様の乾燥機は、乾燥対象物を収容する槽と、槽に収容された乾燥対象物に含有される水分を加熱して乾燥対象物を乾燥するために槽内に電磁波を照射する照射部と、照射部により槽内に電磁波が照射されているときに電磁波の強度を検知する検知部と、照射部を制御する制御部と、を備える。制御部は、検知部により検知された電磁波の強度を取得する強度取得部と、強度取得部により取得された電磁波の強度に応じて、照射部の出力を調整して電磁波の強度を平滑化する平滑化部と、を備える。
【０００９】
本発明の別の態様は、制御装置である。この装置は、槽に収容された乾燥対象物に含有される水分を加熱して乾燥対象物を乾燥するために槽内に電磁波が照射されたときに、電磁波の強度を取得する強度取得部と、強度取得部により取得された電磁波の強度に応じて、照射部の出力を調整して電磁波の強度を平滑化する平滑化部と、を備える。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、電磁波を照射することにより乾燥対象物を乾燥する乾燥機をより適切に制御する技術を提供することができる。
【図面の簡単な説明】
【００１２】
【図１】実施の形態１に係る洗濯乾燥機の構成を概略的に示す縦断面図である。
【図２】実施の形態１に係るマイクロ波加熱装置の構成を示す図である。
【図３】実施の形態１に係るマイクロ波制御装置の構成を示す図である。
【図４】図４（ａ）は、マイクロ波検知部により検知された反射波の強度と、平滑化部により調整された照射波の強度の例を示す図であり、図４（ｂ）は、平滑化部がない場合の、マイクロ波検知部により検知された反射波の強度と、照射波の強度の例を示す図である。
【図５】実施の形態１に係る洗濯乾燥機の乾燥工程の手順を示すフローチャートである。
【図６】マイクロ波検知部により検知された反射波の強度と、平滑化部により調整された照射波の強度の例を示す図である。
【図７】実施の形態２に係る洗濯乾燥機の乾燥工程の手順を示すフローチャートである。
【図８】マイクロ波検知部により検知された反射波の強度と、平滑化部により調整された照射波の強度の例を示す図である。
【図９】実施の形態３に係る洗濯乾燥機の乾燥工程の手順を示すフローチャートである。
【図１０】実施の形態４に係るマイクロ波制御装置の構成を示す図である。
【図１１】マイクロ波検知部により検知された反射波の強度と、平滑化部により調整された照射波の強度の例を示す図である。
【図１２】実施の形態４に係る洗濯乾燥機の乾燥工程の手順を示すフローチャートである。
【図１３】実施の形態６に係る洗濯乾燥機の構成を示す図である。
【図１４】実施の形態７に係る洗濯乾燥機の構成を示す図である。
【図１５】特許文献１に記載された従来の衣類乾燥機のブロック図である。
【発明を実施するための形態】
【００１３】
第１の発明の乾燥機は、乾燥対象物を収容する槽と、槽に収容された乾燥対象物に含有される水分を加熱して乾燥対象物を乾燥するために槽内に電磁波を照射する照射部と、照射部により槽内に電磁波が照射されているときに電磁波の強度を検知する検知部と、照射部を制御する制御部と、を備え、制御部は、検知部により検知された電磁波の強度を取得する強度取得部と、強度取得部により取得された電磁波の強度に応じて、照射部の出力を調整して電磁波の強度を平滑化する平滑化部と、を備えることを特徴とする。この態様によると、槽の内部の電磁波の強度を的確に制御し、スパークの発生を抑えることができる。
【００１４】
第２の発明は、第１の発明において、平滑化部は、検知部により検知された電磁波の強度が所定の上限値よりも高いときに照射部の出力を下げるように構成されたものである。この態様によると、槽の内部の電磁波の強度をより的確に制御し、スパークの発生を抑えることができる。
【００１５】
第３の発明は、第１又は第２の発明において、平滑化部は、検知部により検知された電磁波の強度が所定の下限値よりも低いときに照射部の出力を上げるように構成されたものである。この態様によると、スパークの発生を抑えつつ、乾燥効率を向上させることができる。
【００１６】
第４の発明は、第１から第３のいずれかの発明において、平滑化部は、検知部により検知された電磁波の強度が所定の上限値よりも高いときに照射部の出力を停止させるように構成されたものである。この態様によると、槽の内部の電磁波の強度をより的確に制御し、スパークの発生を抑えることができる。
【００１７】
第５の発明は、第１から第４のいずれかの発明において、平滑化部は、検知部により検知された電磁波の強度の時間変化に応じて照射部の出力を調整するように構成されたものである。この態様によると、槽の内部の電磁波の強度をより的確に制御し、スパークの発生を抑えることができる。また、乾燥効率を向上させることができる。
【００１８】
第６の発明は、第５の発明において、平滑化部は、検知部により検知された電磁波の強度にリアルタイムに追従して照射部の出力を調整するように構成されたものである。この態様によると、槽の内部の電磁波の強度をより的確に制御し、スパークの発生を抑えることができる。また、乾燥効率を向上させることができる。
【００１９】
第７の発明は、第５の発明において、平滑化部は、検知部により検知された電磁波の強度の周期を検知し、検知された周期における電磁波の強度の時間変化に応じて照射部の出力を調整するように構成されたものである。この態様によると、槽の内部の電磁波の強度をより的確に制御し、スパークの発生を抑えることができる。また、乾燥効率を向上させることができる。
【００２０】
第８の発明は、第１から第７のいずれかの発明において、照射部は、２．４５ＧＨｚ帯又は９１５ＭＨｚ帯の周波数の電磁波を槽内に照射し、検知部は、２．４５ＧＨｚ帯又は９１５ＭＨｚ帯の周波数の電磁波の強度を検知するように構成されたものである。この態様によると、マイクロ波加熱装置が利用可能な周波数帯のマイクロ波を利用して、槽の内部の電磁波の強度を精確に検出することができる。
【００２１】
第９の発明は、第１から第８のいずれかの発明において、検知部は、槽から反射された反射波の強度を検知するように構成されたものである。この態様によると、槽の内部の電磁波の強度をより的確に制御し、スパークの発生を抑えることができる。
【００２２】
第１０の発明は、第１から第８のいずれかの発明において、検知部は、槽内に照射される入射波と槽から反射された反射波の合成波の強度を検知するように構成されたものである。この態様によると、槽の内部の電磁波の強度をより的確に制御し、スパークの発生を抑えることができる。また、乾燥機の製造コストを抑えることができる。
【００２３】
第１１の発明は、第１から第８のいずれかの発明において、検知部は、槽の外側に設けられ、槽から漏洩した電磁波の強度を検知するように構成されたものである。この態様によると、槽の内部の電磁波の強度をより的確に制御し、スパークの発生を抑えることができる。また、乾燥機の製造コストやサイズを抑えることができる。
【００２４】
第１２の発明は、第１から第８のいずれかの発明において、検知部は、槽の内側に設けられ、槽内の電磁波の強度を検知するように構成されたものである。この態様によると、槽の内部の電磁波の強度をより的確に制御し、スパークの発生を抑えることができる。
【００２５】
第１３の発明の制御装置は、槽に収容された乾燥対象物に含有される水分を加熱して乾燥対象物を乾燥するために槽内に電磁波が照射されたときに、電磁波の強度を取得する強度取得部と、強度取得部により取得された電磁波の強度に応じて、照射部の出力を調整して電磁波の強度を平滑化する平滑化部と、を備える。この態様によると、槽の内部の電磁波の強度を的確に制御し、スパークの発生を抑えることができる。
【００２６】
第１４の発明の制御プログラムは、コンピュータを、槽に収容された乾燥対象物に含有される水分を加熱して乾燥対象物を乾燥するために槽内に電磁波が照射されたときに、電磁波の強度を取得する強度取得部、強度取得部により取得された電磁波の強度に応じて、照射部の出力を調整して電磁波の強度を平滑化する平滑化部、として機能させる。この態様によると、槽の内部の電磁波の強度を的確に制御し、スパークの発生を抑えることができる。
【００２７】
以下、本発明の実施の形態について、図面を参照しながら説明する。なお、この実施の形態によって本発明が限定されるものではない。また、複数の実施の形態に記載された内容において、可能な範囲で組み合わされることは問題ない。
【００２８】
［実施の形態１］
図１は、実施の形態１に係る洗濯乾燥機の構成を概略的に示す縦断面図である。本実施の形態の洗濯乾燥機５０は、衣類などの洗濯物を洗濯して乾燥する機能を有しており、洗濯機能のみを実行する洗濯機としても、乾燥機能のみを実行する乾燥機としても、洗濯機能と乾燥機能を実行する洗濯乾燥機としても機能する。
【００２９】
図１に示されるように、洗濯乾燥機５０は、洗浄水が溜められる有底円筒形状に形成された水槽３を備えている。水槽３は、その下方に設けられたダンパ４によって筐体２（本体）内に揺動自在に支持されている。衣類などの洗濯物（乾燥機能に言及するときは「乾燥対象物」ともいう）が収容される回転槽１が、水槽３内に回転自在に設けられている。この回転槽１は、有底円筒形状に形成されている。回転槽１は、その回転軸を水平に対して前上がりに傾斜させて設けられている。
【００３０】
水槽３の背面には、駆動モータ６が取り付けられている。この駆動モータ６は、回転槽１を回転軸まわりに正方向及び逆方向に回転させる。洗濯乾燥機５０は、駆動モータ６の駆動による回転槽１の回転によって、回転槽１内に収容された洗濯物に対し、撹拌たたき洗浄、すすぎ、及び乾燥を行なう。
【００３１】
筐体２の前部には、回転槽１及び水槽３の開口端側に対向させて扉体５が設けられている。使用者は、扉体５を開くことによって回転槽１に対して洗濯物（衣類）を出し入れすることができる。
【００３２】
また、水槽３の前部開口部の縁部には全周にわたって、弾性を有するシール部材が備えられている。使用者が扉体５を閉じると、シール部材が扉体５によって押圧され、弾性変形することによって、水槽３の機外に対する水密性及び気密性が確保される。
【００３３】
給水管１３が水槽３の上部に接続されている。給水弁１２が給水管１３の途中に設けられている。給水弁１２は、給水管１３を経由して水槽３内に水を供給する。また、排水管１１が水槽３の最下部に接続されている。排水弁１０が排水管１１の途中に設けられている。排水弁１０は、水槽３内の水を排水管１１を経由して機外に排出する。
【００３４】
水槽３の下方には、ダンパ４が設けられている。ダンパ４は、水槽３を支えるとともに、脱水時等に、回転槽１内の衣類の偏りなどに起因して発生する水槽３の振動を減衰させる。このダンパ４には、布量検知部（図示せず）が取り付けられている。布量検知部は、回転槽１内の衣類などによる重量変化によって、ダンパ４の軸が上下に変位する変位量を検知する。洗濯乾燥機は、この布量検知部によって検知された変位量に基づいて、回転槽１内の衣類の量を検知する。
【００３５】
また、洗濯乾燥機５０は、水槽３及び回転槽１内の空気を循環させる循環風路７と、回転槽１内の衣類の水分を加熱するマイクロ波加熱装置３０とを備えている。乾燥対象物を加熱する加熱部を構成するマイクロ波加熱装置３０は、水槽３内に設けられたマイクロ波照射口３２から電磁波の一種であるマイクロ波を照射し、回転槽１内の衣類の水分を加熱する。
【００３６】
循環風路７は、乾燥工程において衣類を乾燥させるための空気循環風路として構成されている。空気循環風路には、水槽３及び回転槽１が含まれる。循環風路７は、水槽３の上部側面に設けられた吹出口８（乾燥用空気吹出口）と水槽３の後部側面に設けられた排出口９（乾燥用空気排出口）と水槽３とに接続させて設けられている。
【００３７】
送風ファン１６が、送風装置として、循環風路７内に設けられている。送風ファン１６は、水槽３及び回転槽１内の乾燥用空気を循環風路７内に循環させる。
【００３８】
循環風路７には、吸気風路１４と排気風路１５とが、それぞれ接続されている。吸気風路１４は、筐体２内の空気を循環風路７内に取り込むものである。排気風路１５は、循環風路７内の空気を循環風路７外に排出するものである。吸気風路１４及び排気風路１５の循環風路７に接続されていない側の端部は、それぞれ循環風路７外に解放されている。排気風路１５は、吸気風路１４より乾燥用空気の流れの上流側に設けられている。また、排気風路１５を設けずに、排水管１１を通して、空気を循環風路７外に排出してもよい。
【００３９】
循環風路７には、乾燥用空気を加熱するヒータ１７が組み込まれている。このヒータ１７は、吸気風路１４より下流側で、水槽３の吹出口より手前に設けられている。このヒータ１７もマイクロ波加熱装置３０と同様に乾燥対象物を加熱する加熱部を構成し、マイクロ波加熱装置３０と同時に、又はマイクロ波加熱装置３０に代えて通電される。なお、加熱部により乾燥対象物を加熱する方法としては、マイクロ波により直接加熱する方法、ヒータなどにより循環する空気を加熱したり、回転槽１の内壁を加熱したりして間接的に加熱する方法などがあり、特に限定するものではない。
【００４０】
本実施の形態の洗濯乾燥機５０は、マイクロ波加熱装置３０からマイクロ波照射口３２を介して回転槽１内に照射されるマイクロ波により乾燥対象物を乾燥するが、乾燥対象物の衣類などにボタンやファスナーなどの金属がついていてスパークが発生する可能性が高い場合には、マイクロ波加熱装置３０から回転槽１内に照射するマイクロ波の出力を低減させ、又は停止して、ヒータ１７による乾燥に切り替える。
【００４１】
本実施の形態の洗濯乾燥機５０では、回転槽１内にマイクロ波が照射されるので、洗濯乾燥機５０の外部に漏洩する電磁波の強度が、使用される地域において定められた基準値以下になるように構成する必要がある。そのため、本実施形態の洗濯乾燥機５０は、マイクロ波照射口３２から照射された電磁波の漏洩を抑制するための電磁波シールドを備える。電磁波シールドは、少なくとも扉体５及び回転槽１から構成される。例えば、電磁波シールドは、マイクロ波を反射又は吸収することが可能な金属などの電磁波遮蔽材料を含む材料で形成された扉体５及び回転槽１と、扉体５と回転槽１との間隙から漏洩する電磁波を遮蔽又は減衰させるために扉体５と回転槽１との接点に形成されたチョーク構造により構成されてもよい。チョーク構造としては、電子レンジなどの技術分野において知られている任意のチョーク構造を採用可能である。水槽３又は筐体２の一部或いは全部が、電磁波遮蔽材料を含む材料で形成されてもよい。
【００４２】
漏洩電磁波に関する規格として、例えば、周波数が２．４５ＧＨｚ帯の電磁波（マイクロ波）によって食品の加熱を行う定格高周波出力２ｋＷ以下の電子レンジ及びそれに付加装置をもつ電子レンジについて規定した日本工業規格「ＪＩＳ  Ｃ９２５０」がある。同規格の５．８には、「同規格の８．２．１２に規定される漏れ電波の電力密度試験により測定された漏れ電波の電力密度が、（１）扉を閉めているときは、１ｍＷ／ｃｍ２以下であること、（２）発振管の発振停止装置が動作する直前の最大の位置まで扉を開いて固定したときは、５ｍＷ／ｃｍ２以下であること、（３）主たる発振停止装置以外の発振停止装置を拘束した状態で５ｍＷ／ｃｍ２以下であること」と規定されている。また、電気用品安全法第八条第一項に規定された、経済産業省令で定める技術上の基準を定める「電気用品の技術上の基準を定める省令」の解釈についての通達の別表第八の２（９５）ト項にも、ほぼ同様の内容が規定されている。洗濯乾燥機についても、電子レンジと同様の基準が妥当すると考えられる。
【００４３】
また、各国の専門家による科学的根拠に基づいて作成された国際非電離放射線防護委員会（ＩＣＮＩＲＰ）のガイドラインを人体防護の暴露限度値として採用することがＷＨＯ（世界保健機関）により推奨されている。このガイドラインでは、曝露制限値が０．０８Ｗ／ｋｇ（１ｍＷ／ｃｍ２）と規定されている。国際電気標準会議（ＩＥＣ）により制定された国際規格「ＩＥＣ６２２３３」及びそれに基づいて制定された日本工業規格「ＪＩＳ  １９１２」には、家庭用電気機器及び類似機器からの人体ばく露に関する電磁界の測定方法が規定されている。同規格に規定された測定方法において、電磁界を検知するセンサの信号に対して重みづけを行うことにより、曝露制限値に対する割合として電磁界が測定され、ＩＣＮＩＲＰのガイドラインに規定された曝露制限値を超えていなければ、ＩＣＮＩＲＰのガイドラインに適合すると判定される。電磁波シールドは、これらの規格に準拠するように構成される。
【００４４】
次に乾燥空気の流れについて説明する。送風ファン１６が駆動されると、回転槽１内で洗濯物から奪われた水分によって多湿状態となった乾燥用空気は、水槽３の側面下部に設けられた排出口９を通って、循環風路７又は排気風路１５に流入する。排気風路１５を設けない場合は、循環風路７又は排水管１１に流入する。排気風路１５に流入した空気は、循環風路７外に排気される。一方、循環風路７に流入した空気は、送風ファン１６によってヒータ１７に向けて送られ、ヒータ１７が動作している場合は、ヒータ１７によって加熱される。
【００４５】
吸気風路１４は、送風ファン１６の吸気側の循環風路７に連通するように設けられている。吸気風路１４は、また、ヒータ１７より上流側の循環風路７に連通するように設けられている。したがって、吸気風路１４から吸気された循環風路７外の空気は、循環風路７側へ流れた乾燥用空気と混合された後、ヒータ１７を通過する。この際に、ヒータが動作している場合、混合された空気は、ヒータ１７によって加熱される。また、循環風路７外の空気が乾燥用空気に混合されることにより、混合前と比較して混合後の乾燥用空気の湿度は低くなる。
【００４６】
ヒータ１７を通過した空気は、吹出口８を通過して、再び回転槽１内に吹き出される。なお、洗濯機能を有しない衣類乾燥機においては、洗浄水を溜める水槽３や給水弁１２、給水管１３及び排水弁１０は備えられていない。そして、回転する回転槽１と循環風路７との接続は、フェルトなどのシール部材に回転槽１が摺動するように構成されている。
【００４７】
流入温度検知部１８が、循環風路７内の吹出口８近傍又はヒータ１７近傍に設けられている。流入温度検知部１８は、回転槽１に流入する乾燥用空気の温度を検知する。流入温度検知部１８は、例えばサーミスタ等によって構成される。
【００４８】
制御装置２０が筐体２内に備えられている。制御装置２０は、送風ファン１６及びマイクロ波加熱装置３０等を制御する。制御装置２０は、また、駆動モータ６、給水弁１２、排水弁１０等を制御し、洗浄、すすぎ、乾燥の各工程を逐次実行する。
【００４９】
図２は、実施の形態１に係るマイクロ波加熱装置３０の構成を示す。マイクロ波加熱装置３０は、マイクロ波照射部３１と、導波管３４と、マイクロ波照射口３２と、マイクロ波制御装置４０と、反射部３３と、マイクロ波検知部３６とを有している。マイクロ波照射部３１は、マイクロ波を照射波として照射する。導波管３４は、照射されたマイクロ波を回転槽１内へ導く。マイクロ波照射口３２は、導波管３４の先端で水槽３内に設けられる。マイクロ波制御装置４０は、マイクロ波照射部３１から照射するマイクロ波の出力を調整する。反射部３３は、マイクロ波照射部３１とマイクロ波照射口３２の間に設けられ、回転槽１から反射されたマイクロ波の一部又は全部を反射して回転槽１内に照射する。マイクロ波検知部３６は、反射部３３とマイクロ波照射口３２の間に設けられ、反射部３３とマイクロ波照射口３２の間の位置におけるマイクロ波の強度を検知する。
【００５０】
マイクロ波照射部３１は、マグネトロンなどのマイクロ波発振器であり、マイクロ波加熱装置が使用可能な２．４５ＧＨｚ帯の周波数の電磁波を発振する。なお、ＩＳＭ（Ｉｎｄｕｓｔｒｙ  Ｓｃｉｅｎｃｅ  Ｍｅｄｉｃａｌ）バンドとして割り当てられた２．４５ＧＨｚ帯に限られるものではなく、同様に割り当てられた９１５ＭＨｚ帯などの周波数の電磁波でもよい。マイクロ波制御装置４０により任意の出力に調整されたマイクロ波がマイクロ波照射部３１から照射される。照射されたマイクロ波は、導波管３４及びマイクロ波照射口３２を通じて、回転する回転槽１内に照射され、衣類などの乾燥対象物に含有される水分を加熱する。この際に、送風ファン１６から回転槽１内の衣類に乾燥用空気を送風することにより、乾燥対象物から蒸発した水分は、乾燥用空気とともに、排出口９から排気風路１５を通じて水槽３外へ排出される。もしくは排水管１１を通じて水槽３外へ排出される。これにより、衣類の乾燥が促進される。
【００５１】
回転槽１内に照射されたマイクロ波のうち、乾燥対象物に含有される水分により吸収されなかったマイクロ波の一部は、反射波として、回転槽１からマイクロ波照射口３２を通じてマイクロ波照射部３１に戻る。マイクロ波照射部３１に戻ったマイクロ波は、熱に変換され排熱として処理される。
【００５２】
マイクロ波検知部３６は、マイクロ波照射部３１が照射する２．４５ＧＨｚ帯の周波数のマイクロ波を検知可能であり、回転槽１から反射されてマイクロ波照射部３１に戻る反射波の強度を検知する。後述するように、回転槽１内に照射された電磁波の強度と、回転槽１から反射された反射波の強度との比に基づいて、乾燥対象物に含有される水分の量を推定する場合には、マイクロ波検知部３６は、回転槽１内に照射される入射波の強度も検知する。この場合、マイクロ波検知部３６は、一般的な方向性結合器のように、マイクロ波照射部３１から回転槽１の方向へ進む入射波の強度と、回転槽１からマイクロ波照射部３１の方向へ進む反射波の強度とを別々に検知可能であってもよい。また、複数のマイクロ波検知部３６が設けられ、入射波及び反射波を別々に検知可能であってもよい。
【００５３】
反射部３３は、回転槽１から反射されてマイクロ波照射部３１に戻る方向へ進む反射波の一部又は全部を反射して、マイクロ波照射部３１から照射されたマイクロ波と共に、再度、回転槽１内へ入射させる。したがって、マイクロ波検知部３６により検知される入射波は、マイクロ波照射部３１から照射される照射波に加えて、反射部３３により反射されて回転槽１の方向へ進むマイクロ波が含まれてもよい。これにより、エネルギーロスを低減し、乾燥時間を短縮することができる。マイクロ波検知部３６は、回転槽１と反射部３３との間に設置されているため、反射部３３の影響を受けることなく、回転槽１から反射されるマイクロ波の反射波の強度を精度良く検知できる。
【００５４】
図３は、実施の形態１に係るマイクロ波制御装置４０の構成を示す。マイクロ波制御装置４０は、マイクロコンピュータ、マイクロコントローラ、集積回路などのハードウェアにより実現される。
【００５５】
マイクロ波制御装置４０は、強度取得部４１、出力調整部４２、及び平滑化部４５を備える。これらの構成は、ハードウエア的には、任意のコンピュータのＣＰＵ、メモリ、その他のＬＳＩなどにより実現され、ソフトウエア的にはメモリにロードされたプログラムなどによって実現されるが、ここではそれらの連携によって実現される機能ブロックを描いている。したがって、これらの機能ブロックがハードウエアのみ、又はハードウエアとソフトウエアの組合せなど、いろいろな形で実現できることは、当業者には理解されるところである。
【００５６】
マイクロ波制御装置４０は、制御装置２０により制御される洗浄工程、すすぎ工程、又は乾燥工程において、制御装置２０からの指示にしたがってマイクロ波照射部３１を制御する。マイクロ波制御装置４０は、洗浄工程において洗浄水を加熱したり、すすぎ工程においてすすぎ水を加熱したり、乾燥工程において乾燥対象物に含有される水分を加熱したり、洗濯物又は乾燥対象物に付着している菌を加熱殺菌したりするために、マイクロ波照射部３１から回転槽１へマイクロ波を照射させる。なお、洗浄水又はすすぎ水を加熱するときには、これらが溜められる水槽３にマイクロ波を照射させてもよい。
【００５７】
強度取得部４１は、マイクロ波検知部３６により検知されたマイクロ波（反射波）の強度を取得する。平滑化部４５は、後述するように、強度取得部４１により取得された反射波の強度に応じて、この反射波を平滑化するように照射波の強度を調整する。出力調整部４２は、平滑化部４５により調整された出力に応じてマイクロ波照射部３１の出力を調整する。具体的には、平滑化部４５は、強度取得部４１により取得された電磁波の強度が所定の上限値を超えた場合に、マイクロ波照射部３１の出力を下げる。これにより、回転槽１内における電界強度の上昇を的確に検知してマイクロ波照射部３１の出力を下げることができるので、回転槽１内の乾燥対象物に含まれる金属などによるスパークの発生を抑制することができる。
【００５８】
図４（ａ）は、マイクロ波検知部３６により検知された反射波の強度と、平滑化部４５により調整された照射波の強度の例を示す。回転槽１を１回転させる間に、回転槽１内の乾燥対象物の位置が変わり、乾燥対象物に含まれる水分量の分布が変わるので、反射波の強度も変化する。平滑化部４５は、強度取得部４１により取得された反射波の強度が上限値を超えたときに、マイクロ波照射部３１の出力を下げるように出力調整部４２に指示する。その後、所定時間が経過したとき、又は、強度取得部４１により取得された反射波の強度が上限値を下回ったときに、平滑化部４５は、マイクロ波照射部３１の出力を元に戻すように出力調整部４２に指示する。図４（ａ）の例では、平滑化部４５は、反射波の強度が上限値を超えたときに、マイクロ波照射部３１の出力を停止させ、所定時間（図中のΔＴ）が経過したときに、マイクロ波照射部３１の出力を所定値に戻す。これにより、乾燥の効率を維持しつつ、スパークの発生を抑制することができる。なお図４（ｂ）は、平滑化部４５によるマイクロ波照射部３１の出力停止を行わない場合の反射波の強度及び照射波の強度を参考に示す。
【００５９】
図５は、実施の形態１に係る洗濯乾燥機５０の乾燥工程の手順を示すフローチャートである。乾燥工程が開始されるとき、出力調整部４２は、マイクロ波照射部３１の出力を所定値に設定する（Ｓ１０）。マイクロ波照射部３１は、出力調整部４２により設定された出力でマイクロ波を回転槽１内に照射する（Ｓ１２）。マイクロ波検知部３６は、回転槽１から反射された反射波の強度を検知し（Ｓ１４）、強度取得部４１は、マイクロ波検知部３６により検知された反射波の強度を取得する（Ｓ１６）。
【００６０】
平滑化部４５は、強度取得部４１により取得された反射波の強度が上限値を超えているか否かを判断する（Ｓ１８）。反射波の強度が上限値を超えていない場合（Ｓ１８のＮｏ）、制御装置２０は、乾燥工程を終了するか否かを判断する（Ｓ２６）。乾燥工程を終了しない場合は（Ｓ２６のＮｏ）、Ｓ１０に戻ってマイクロ波の照射を続行し、乾燥工程を終了する場合は（Ｓ２６のＹｅｓ）、マイクロ波照射部３１からのマイクロ波の照射を停止させて、乾燥工程を終了する（Ｓ２８）。
【００６１】
Ｓ１８において、反射波の強度が上限値を超えている場合（Ｓ１８のＹｅｓ）、平滑化部４５は、マイクロ波照射部３１の出力値をゼロに設定し（Ｓ２０）、マイクロ波照射部３１は、マイクロ波の照射を停止する（Ｓ２２）。平滑化部４５は、マイクロ波の照射を停止してから所定時間が経過したか否かを判断し（Ｓ２４）、経過していなければ（Ｓ２４のＮｏ）、Ｓ２０に戻り、引き続きマイクロ波照射部３１の出力値をゼロに維持する。所定時間は、回転槽１内の電磁波の強度がスパークを生じさせない程度に低下するまでに要する時間であってもよく、実験などにより定められてもよい。所定時間が経過すると（Ｓ２４のＹｅｓ）、Ｓ２６に進み、乾燥工程を終了するのでなければ、Ｓ１０に戻ってマイクロ波照射部３１によるマイクロ波の出力を再開する。
【００６２】
Ｓ２０において、平滑化部４５は、マイクロ波照射部３１の出力値を、Ｓ１０において設定される値よりも低く、ゼロよりも大きい所定値に設定してもよい。この場合、Ｓ２２において、マイクロ波照射部３１は、Ｓ２０において平滑化部４５により設定された出力でマイクロ波を照射する。
【００６３】
平滑化部４５は、反射波の強度が所定の下限値を下回った場合に、マイクロ波照射部３１の出力を高くしてもよい。例えば、Ｓ１８において、反射波の強度が上限値から下限値までの範囲にあるか否かを判断し、反射波の強度が上限値を超えている場合は、Ｓ２０において、マイクロ波照射部３１の出力をＳ１０において設定される値よりも低い値に設定し、反射波の強度が下限値を超えている場合は、Ｓ２０において、マイクロ波照射部３１の出力をＳ１０において設定される値よりも高い値に設定し、反射波の強度が上限値から下限値までの範囲にある場合は、マイクロ波照射部３１の出力をＳ１０において設定される値に維持してもよい。これにより、スパークの発生を抑えつつ、乾燥効率を向上させることができるので、乾燥に要する時間を短縮することができる。
【００６４】
乾燥工程が開始されてから、乾燥対象物に比較的多くの水分が含有されている間は、回転槽１内に照射された電磁波の多くが水分に吸収されて加熱に寄与するので、回転槽１内の電界強度は過度に高くならず、反射波の強度も低い。このときは、乾燥対象物に金属のボタンやファスナーなどがついていたとしても、スパークが発生する可能性は低いので、比較的高い出力の電磁波がマイクロ波照射部３１から照射されてもよい。乾燥工程が進んで、乾燥対象物に含有される水分が少なくなると、水分により吸収されなかったマイクロ波が回転槽１内に蓄積され、スパークが発生する可能性が高まるので、マイクロ波照射部３１から照射される電磁波の出力を低くしてもよい。
【００６５】
したがって、出力調整部４２は、マイクロ波検知部３６により検知された反射波の強度、入射波の強度と反射波の強度の比などから推定される回転槽１内の水分量、乾燥工程が開始されてからの経過時間などに応じて、Ｓ１０又はＳ２０において設定されるマイクロ波の出力の値を調整してもよい。例えば、反射波の強度が高くなるにつれて、水分量が少なくなるにつれて、又は乾燥工程が開始されてからの経過時間が長くなるにつれて、マイクロ波の出力を段階的又は連続的に低くしてもよい。マイクロ波照射部３１の出力の値は、回転槽１に設けられたロードセルなどにより測定された乾燥対象物の重量、使用者により設定された乾燥時間、室温、湿度などに応じて決定されてもよい。
【００６６】
同様に、平滑化部４５は、マイクロ波検知部３６により検知された反射波の強度、入射波の強度と反射波の強度の比などから推定される回転槽１内の水分量、乾燥工程が開始されてからの経過時間、回転槽１に設けられたロードセルなどにより測定された乾燥対象物の重量、使用者により設定された乾燥時間、室温、湿度などに応じて、Ｓ１８において平滑化を実行するか否かを判断する基準となる上限値を調整してもよい。例えば、反射波の強度が高くなるにつれて、水分量が少なくなるにつれて、又は乾燥工程が開始されてからの経過時間が長くなるにつれて、上限値を段階的又は連続的に低くしてもよい。
【００６７】
回転槽１内の水分量は、異なる複数の周波数のマイクロ波を発振可能な半導体素子などのマイクロ波照射部３１を使用して推定されてもよい。この場合、周波数が可変なマイクロ波照射部３１から異なる複数の周波数のマイクロ波を回転槽１内に照射させたときの反射波の強度をそれぞれ取得し、取得した反射波の強度の平均値又は積分値に基づいて水分量を推定する。これにより、より精確に回転槽１内の水分量を推定することができる。周波数が可変なマイクロ波照射部３１のみが設けられてもよいし、周波数が可変でないマグネトロンなどの比較的安価なマイクロ波照射部３１に加えて、回転槽１内の水分量を推定するために使用される周波数が可変な第２のマイクロ波照射部が設けられてもよい。後者の場合は、比較的安価な低出力の半導体素子などを使用することができるので、洗濯乾燥機５０の製造コストを抑えることができる。
【００６８】
入射波の強度と反射波の強度の比などから推定された回転槽１内の水分量は、制御装置２０が洗濯乾燥機５０の運転を制御するために使用されてもよい。例えば、制御装置２０は、水分量が乾燥完了とされる所定値まで少なくなったときに、マイクロ波照射部３１の出力を停止し、乾燥工程を終了させてもよい。乾燥工程を終了させるか否かを判定するための水分量の閾値は、乾燥対象物の種類に応じて定められてもよいし、使用者による設定を受け付けてもよい。例えば、含有される水分の量を比較的多めに残して、しっとりとした肌触りに仕上げたい乾燥対象物は、閾値を高めに設定し、乾燥対象物に含有される水分の量が比較的多い状態で乾燥を終了させてもよい。また、例えば、制御装置２０は、マイクロ波照射部３１の出力を停止してから、送風運転を実行するなどしたのち、乾燥工程を終了させてもよい。
【００６９】
このように、反射波の強度に応じてマイクロ波照射部３１の出力を調整することにより、回転槽１内の電界強度を調整することができるので、回転槽１内の電界強度が過度に高くなるのを防ぎ、スパークの発生を抑えることができる。また、乾燥工程の全域において、乾燥対象物に付いている金属からのスパークを適切に抑えつつ、マイクロ波により乾燥対象物に含有された水分を直接加熱することを可能にするので、乾燥効率を向上させ、乾燥時間を短縮することができる。
【００７０】
［実施の形態２］
実施の形態２に係るマイクロ波制御装置４０も、実施の形態１と同様に、マイクロ波検知部３６により検知された反射波の強度の時間変化に応じてマイクロ波照射部３１の出力を調整する。平滑化部４５は、強度取得部４１が取得した反射波の強度に応じて即時に平滑化を行う。実施の形態２に係るマイクロ波制御装置４０の構成は、図３に示した実施の形態１に係るマイクロ波制御装置４０の構成と同様である。実施の形態１と異なる点について主に説明する。
【００７１】
図６は、マイクロ波検知部３６により検知された反射波の強度と、平滑化部４５により調整された照射波の強度の例を示す。なお破線は平滑化部４５で平滑化を実施しない場合の反射波の強度及び照射波の強度を参考に示す。平滑化部４５は、強度取得部４１が取得した反射波の強度にリアルタイムに追従してマイクロ波照射部３１の出力を調整し、反射波の強度を平滑化する。これにより、より精確に回転槽１内の電磁波の強度を調整し、スパークの発生を抑制することができる。
【００７２】
図７は、実施の形態２に係る洗濯乾燥機５０の乾燥工程の手順を示すフローチャートである。乾燥工程が開始されるとき、出力調整部４２は、マイクロ波照射部３１の出力を所定値に設定する（Ｓ６０）。マイクロ波照射部３１は、出力調整部４２により設定された出力でマイクロ波を回転槽１内に照射する（Ｓ６２）。マイクロ波検知部３６は、回転槽１から反射された反射波の強度を検知し（Ｓ６４）、強度取得部４１は、マイクロ波検知部３６により検知された反射波の強度を取得する（Ｓ６６）。
【００７３】
平滑化部４５は、強度取得部４１により取得された反射波の強度が上限値を超えているか否かを判断する（Ｓ６８）。反射波の強度が上限値を超えている場合（Ｓ６８のＹｅｓ）、平滑化部４５は、反射波の強度が上限値以下となるようにマイクロ波照射部３１の出力を調整する（Ｓ７０）。反射波の強度が上限値を超えていない場合（Ｓ６８のＮｏ）、平滑化部４５は、マイクロ波照射部３１の出力を所定値のまま維持する（Ｓ７２）。
【００７４】
制御装置２０は、乾燥工程を終了するか否かを判断する（Ｓ７４）。乾燥工程を終了しない場合は（Ｓ７４のＮｏ）、Ｓ６２に戻ってマイクロ波の照射を続行し、乾燥工程を終了する場合は（Ｓ７４のＹｅｓ）、マイクロ波照射部３１からのマイクロ波の照射を停止させて、乾燥工程を終了する（Ｓ７６）。
【００７５】
このように、反射波の強度に応じてリアルタイムにマイクロ波照射部３１の出力を調整することにより、回転槽１内の電界強度を調整することができるので、回転槽１内の電界強度が過度に高くなるのを防ぎ、スパークの発生を抑えることができる。また、乾燥工程の全域において、乾燥対象物に付いている金属からのスパークを適切に抑えつつ、マイクロ波により乾燥対象物に含有された水分を直接加熱することを可能にするので、乾燥効率を向上させ、乾燥時間を短縮することができる。
【００７６】
［実施の形態３］
実施の形態２に係るマイクロ波制御装置４０では、平滑化部４５は、強度取得部４１が取得した反射波の強度が所定の上限値を超えている場合に、反射波の強度が上限値以下となるようにマイクロ波照射部３１の出力を調整したが、実施の形態３に係るマイクロ波制御装置４０では、平滑化部４５は、強度取得部４１が取得した反射波の強度に応じて、反射波の強度が一定の範囲の値に維持されるようにマイクロ波照射部３１の出力を調整する。実施の形態３に係るマイクロ波制御装置４０の構成は、図３に示した実施の形態１に係るマイクロ波制御装置４０の構成と同様である。実施の形態１及び２と異なる点について主に説明する。
【００７７】
図８は、マイクロ波検知部３６により検知された反射波の強度と、平滑化部４５により調整された照射波の強度の例を示す。なお破線は平滑化部４５で平滑化を実施しない場合の反射波の強度を参考に示す。平滑化部４５は、強度取得部４１が取得した反射波の強度にリアルタイムに追従して、反射波の強度が一定の範囲の値に維持されるようにマイクロ波照射部３１の出力を調整し、反射波の強度を平滑化する。本図の例では、検知された反射波の強度を、所定の強度を基準にして反転させたパターンになるように、照射波の強度が調整される。すなわち、反射波の強度が維持すべき値よりも大きいときには、維持すべき値との差に応じてマイクロ波照射部３１の出力を上げ、反射波の強度が維持すべき値よりも小さいときには、維持すべき値との差に応じてマイクロ波照射部３１の出力を下げてもよい。また、反射波の強度の変化率や加速度などから、反射波の強度が維持すべき値の範囲から外れることが推定されるときに、反射波の強度の変化率や加速度などに応じてマイクロ波照射部３１の出力を調整してもよい。これにより、より精確に回転槽１内の電磁波の強度を調整し、スパークの発生を抑制することができる。
【００７８】
図９は、実施の形態３に係る洗濯乾燥機５０の乾燥工程の手順を示すフローチャートである。乾燥工程が開始されるとき、出力調整部４２は、マイクロ波照射部３１の出力を所定値に設定する（Ｓ８０）。マイクロ波照射部３１は、出力調整部４２により設定された出力でマイクロ波を回転槽１内に照射する（Ｓ８２）。マイクロ波検知部３６は、回転槽１から反射された反射波の強度を検知し（Ｓ８４）、強度取得部４１は、マイクロ波検知部３６により検知された反射波の強度を取得する（Ｓ８６）。
【００７９】
平滑化部４５は、反射波の強度が所定値となるようにマイクロ波照射部３１の出力を調整する（Ｓ８８）。制御装置２０は、乾燥工程を終了するか否かを判断する（Ｓ９０）。乾燥工程を終了しない場合は（Ｓ９０のＮｏ）、Ｓ８０に戻ってマイクロ波の照射を続行し、乾燥工程を終了する場合は（Ｓ９０のＹｅｓ）、マイクロ波照射部３１からのマイクロ波の照射を停止させて、乾燥工程を終了する（Ｓ９２）。
【００８０】
本実施の形態においても、平滑化部４５は、マイクロ波検知部３６により検知された反射波の強度、入射波の強度と反射波の強度の比などから推定される回転槽１内の水分量、乾燥工程が開始されてからの経過時間などに応じて、Ｓ８８において反射波の強度を維持する目標値とされる所定値を調整してもよい。例えば、反射波の強度が高くなるにつれて、水分量が少なくなるにつれて、又は乾燥工程が開始されてからの経過時間が長くなるにつれて、反射波の強度を維持する目標値を段階的又は連続的に低くしてもよい。目標値は、回転槽１に設けられたロードセルなどにより測定された乾燥対象物の重量、使用者により設定された乾燥時間、室温、湿度などに応じて決定されてもよい。
【００８１】
このように、反射波の強度に応じてリアルタイムにマイクロ波照射部３１の出力を調整することにより、回転槽１内の電界強度を調整することができるので、回転槽１内の電界強度が過度に高くなるのを防ぎ、スパークの発生を抑えることができる。また、乾燥工程の全域において、乾燥対象物に付いている金属からのスパークを適切に抑えつつ、マイクロ波により乾燥対象物に含有された水分を直接加熱することを可能にするので、乾燥効率を向上させ、乾燥時間を短縮することができる。
【００８２】
上記の例では、平滑化部４５は、強度取得部４１により取得された反射波の強度に応じてリアルタイムにマイクロ波照射部３１の出力を調整したが、後述する実施の形態４と同様に、１周期分の反射波の強度を記憶し、記憶された反射波の強度に応じて、反射波の強度が所定の範囲の値に維持されるようにマイクロ波照射部３１の出力を調整してもよい。
【００８３】
［実施の形態４］
図１０は、実施の形態４に係るマイクロ波制御装置４０の構成を示す。実施の形態４に係るマイクロ波制御装置４０では、マイクロ波検知部３６により検知された反射波の強度の時間変化に応じてマイクロ波照射部３１の出力を調整する。実施の形態４に係るマイクロ波制御装置４０は、図３に示した実施の形態１に係るマイクロ波制御装置４０の構成に加えて、マイクロ波検知部３６により検知された反射波の強度の周期を検知する周期検知部４６を備える。その他の構成及び動作は、実施の形態１と同様である。実施の形態１と異なる点について主に説明する。
【００８４】
図１１は、マイクロ波検知部３６により検知された反射波の強度と、平滑化部４５により調整された照射波の強度の例を示す。なお破線は平滑化部４５で平滑化を実施しない場合の反射波の強度及び照射波の強度を参考に示す。図１１において下記に説明するように、時間Ｔ０からＴ１は平滑化を実施しない場合の反射波の強度及び照射波の強度を示し、時間Ｔ１以降は平滑化部４５で平滑化を行った場合の反射波の強度及び照射波の強度を示す。比較的多くの乾燥対象物が回転槽１内に収容されている場合、回転槽１の回転に伴って乾燥対象物も回転する。したがって、乾燥対象物の含水量を反映した反射波の強度に周期性が見られる。周期検知部４６は、制御装置２０から回転槽１の回転に関する情報を取得し、回転槽１の回転の周期を検知する（図１１中の周期検知時）。平滑化部４５は、周期検知部４６により検知された回転槽１の１回転を１周期として、強度取得部４１により取得された１周期分の反射波の強度のパターンを記憶する。平滑化部４５は、記憶した１周期分の反射波の強度に応じて、反射波の強度が上限値を超える期間（図１１中のΔＴ１、ΔＴ２）において、反射波の強度が上限値以下となるように、次回以降の周期におけるマイクロ波照射部３１の出力を調整する（図１１中の平滑化時）。これにより、乾燥の効率を維持しつつ、スパークの発生を抑制することができる。１周期は、回転槽１の回転周期の整数倍であってもよいし、整数分の１倍であってもよい。
【００８５】
マイクロ波の照射によって乾燥対象物の含水量は変化するので、回転槽１内の電界強度の周期性が変化し、反射波の強度の周期性も変化する。したがって、平滑化部４５は、記憶していた１周期分の反射波の強度のパターンを定期的に更新する。これにより、周期性の変化に追従して、より的確に反射波の強度を調整することができる。平滑化部４５は、例えば、数周期毎に反射波の強度のパターンを更新して、次の更新までの平滑化のために使用してもよいし、毎周期の反射波の強度のパターンを記憶して、次の周期における平滑化のために使用してもよい。
【００８６】
図１２は、実施の形態４に係る洗濯乾燥機５０の乾燥工程の手順を示すフローチャートである。乾燥工程が開始されるとき、平滑化部４５は、周期の数をカウントするためのカウント値をクリアし（Ｓ１３０）、出力調整部４２は、マイクロ波照射部３１の出力を所定値に設定する（Ｓ１３２）。マイクロ波照射部３１は、出力調整部４２により設定された出力でマイクロ波を回転槽１内に照射する（Ｓ１３４）。マイクロ波検知部３６は、回転槽１から反射された反射波の強度を検知し（Ｓ１３６）、強度取得部４１は、マイクロ波検知部３６により検知された反射波の強度を取得する（Ｓ１３８）。
【００８７】
平滑化部４５は、カウント値が設定値を超えたか否かを判断する（Ｓ１４０）。本図の例では、５周期毎に、記憶していた１周期分の反射波の強度を更新するので、設定値は４である。カウント値が設定値を超えた場合（Ｓ１４０のＹｅｓ）、周期検知部４６は、１周期の開始と終了を検知して平滑化部４５に通知し（Ｓ１４２）、平滑化部４５は、１周期分の反射波の強度のパターンを記憶して（Ｓ１４４）、カウント値をクリアする（Ｓ１４６）。Ｓ１４０において、カウント値が設定値を超えていなければ（Ｓ１４０のＮｏ）、Ｓ１４２からＳ１４６をスキップする。
【００８８】
平滑化部４５は、記憶した１周期分の反射波の強度のパターンに応じて、反射波の強度が上限値以下となるようにマイクロ波照射部３１の出力を調整する（Ｓ１４８）。１周期分の調整が終了すると、平滑化部４５は、カウント値をインクリメントする（Ｓ１５０）。制御装置２０は、乾燥工程を終了するか否かを判断する（Ｓ１５２）。乾燥工程を終了しない場合は（Ｓ１５２のＮｏ）、Ｓ１３４に戻ってマイクロ波の照射を続行し、乾燥工程を終了する場合は（Ｓ１５２のＹｅｓ）、マイクロ波照射部３１からのマイクロ波の照射を停止させて、乾燥工程を終了する（Ｓ１５４）。
【００８９】
本実施の形態においても、出力調整部４２は、マイクロ波検知部３６により検知された反射波の強度、入射波の強度と反射波の強度の比などから推定される回転槽１内の水分量、乾燥工程が開始されてからの経過時間などに応じて、Ｓ１４８において反射波の強度を維持する目標値とされる上限値を調整してもよい。例えば、反射波の強度が高くなるにつれて、水分量が少なくなるにつれて、又は乾燥工程が開始されてからの経過時間が長くなるにつれて、マイクロ波の出力を段階的又は連続的に低くしてもよい。マイクロ波照射部３１の出力の値は、回転槽１に設けられたロードセルなどにより測定された乾燥対象物の重量、使用者により設定された乾燥時間、室温、湿度などに応じて決定されてもよい。
【００９０】
同様に、平滑化部４５は、マイクロ波検知部３６により検知された反射波の強度、入射波の強度と反射波の強度の比などから推定される回転槽１内の水分量、乾燥工程が開始されてからの経過時間、回転槽１に設けられたロードセルなどにより測定された乾燥対象物の重量、使用者により設定された乾燥時間、室温、湿度などに応じて、Ｓ１４０において１周期分の反射波の強度のパターンを更新するか否かを判断する基準となる設定値を調整してもよい。例えば、反射波の強度が高くなるにつれて、水分量が少なくなるにつれて、又は乾燥工程が開始されてからの経過時間が長くなるにつれて、設定値を段階的又は連続的に低くしてもよい。
【００９１】
このように、以前の周期における反射波の強度のパターンに応じてマイクロ波照射部３１の出力を調整することにより、回転槽１内の電界強度を調整することができるので、回転槽１内の電界強度が過度に高くなるのを防ぎ、スパークの発生を抑えることができる。また、乾燥工程の全域において、乾燥対象物に付いている金属からのスパークを適切に抑えつつ、マイクロ波により乾燥対象物に含有された水分を直接加熱することを可能にするので、乾燥効率を向上させ、乾燥時間を短縮することができる。
【００９２】
［実施の形態５］
実施の形態１〜４では、マイクロ波検知部３６は、回転槽１から反射された反射波の強度を検知したが、実施の形態５では、マイクロ波検知部３６は、回転槽１内に照射される入射波と回転槽１から反射された反射波の合成波の強度を検知する。実施の形態５の洗濯乾燥機５０の構成は、図１に示した実施の形態１の洗濯乾燥機５０の構成と同様である。
【００９３】
実施の形態１では、マイクロ波検知部３６は、回転槽１からマイクロ波照射部３１の方向へ進むマイクロ波の反射波の強度を、マイクロ波照射部３１から回転槽１の方向へ進むマイクロ波の入射波の強度と分離して検知するために、方向性結合器などが使用されるが、実施の形態５では、入射波と反射波の合成波の強度を検知するので、方向性結合器を要しない。これにより、洗濯乾燥機５０の構成を簡略化することができるので、洗濯乾燥機５０の製造コストやサイズを抑えることができる。
【００９４】
実施の形態５のマイクロ波制御装置４０は、反射波の強度に代えて、合成波の強度に応じてマイクロ波照射部３１の出力を調整してもよい。また、マイクロ波検知部３６により検知された合成波の強度から、マイクロ波照射部３１から照射したマイクロ波の強度を減算することにより反射波の強度を取得し、反射波の強度に応じてマイクロ波照射部３１の出力を調整してもよい。
【００９５】
本実施の形態によっても、回転槽１内の電界強度が過度に高くなるのを防ぎ、スパークの発生を抑えることができる。また、乾燥工程の全域において、乾燥対象物に付いている金属からのスパークを適切に抑えつつ、マイクロ波により乾燥対象物に含有された水分を直接加熱することを可能にするので、乾燥効率を向上させ、乾燥時間を短縮することができる。
【００９６】
［実施の形態６］
図１３は、実施の形態６に係る洗濯乾燥機５０の構成を示す。実施の形態６に係る洗濯乾燥機５０は、回転槽１及び扉体５により構成される電磁波シールドの外側に設けられ、回転槽１から漏洩した電磁波の強度を検知するマイクロ波検知部３６を備える。マイクロ波検知部３６は電磁波シールドの外側に設けられていれば設置位置はとくに限定しない。例えば、洗濯乾燥機５０内に設けてもよいし、洗濯乾燥機５０とは別体に設けてもよい。洗濯乾燥機５０とは別体に設ける場合、例えば、携帯端末や別体の測定装置を利用してもよい。マイクロ波検知部３６とマイクロ波制御装置４０とは有線信号又は無線信号で接続される。その他の構成及び動作は、実施の形態１〜４と同様である。実施の形態１〜４と異なる点について主に説明する。
【００９７】
実施の形態６に係るマイクロ波制御装置４０の構成は、実施の形態１〜４に係るマイクロ波制御装置４０の構成と同様である。強度取得部４１は、マイクロ波検知部３６により検知された漏洩電磁波の強度を取得する。平滑化部４５は、強度取得部４１により取得された漏洩電磁波の強度に応じて、マイクロ波照射部３１の出力を調整する。これにより、回転槽１内における電界強度の上昇を的確に検知してマイクロ波照射部３１の出力を下げることができるので、回転槽１内の乾燥対象物に含まれる金属などによるスパークの発生を抑制することができる。
【００９８】
回転槽１内に入射されるマイクロ波の強度を１００％とすると、回転槽１から反射されてマイクロ波照射部３１に戻る反射波の強度は１７％程度であり、電磁波シールドの外側に漏洩する電磁波の強度は０．０００１％程度である。このように、マイクロ波検知部３６により検知される漏洩電磁波の強度は、入射波の強度に比べて相当微弱であるから、マイクロ波検知部３６に減衰器などの構成を付加する必要がない。これにより、洗濯乾燥機５０の構成を簡略化することができるので、洗濯乾燥機５０の製造コスト及びサイズを抑えることができる。また、電磁波シールドの外側には定在波が発生しにくいので、より精確に回転槽１内の電磁波の強度を推定することができる。
【００９９】
［実施の形態７］
図１４は、実施の形態７に係る洗濯乾燥機５０の構成を示す。実施の形態７に係る洗濯乾燥機５０は、回転槽１及び扉体５の内側に設けられ、回転槽１内の電磁波の強度を検知するマイクロ波検知部３６を備える。マイクロ波検知部３６は、回転槽１の回転動作と関係なく固定された位置が望ましいが、それに限定しない。その他の構成及び動作は、実施の形態１〜４と同様である。実施の形態１〜４と異なる点について主に説明する。
【０１００】
実施の形態７に係るマイクロ波制御装置４０の構成は、実施の形態１〜４に係るマイクロ波制御装置４０の構成と同様である。強度取得部４１は、マイクロ波検知部３６により検知された回転槽１内のマイクロ波の強度を取得する。平滑化部４５は、強度取得部４１により取得された回転槽１内のマイクロ波の強度に応じて、マイクロ波照射部３１の出力を調整する。これにより、回転槽１内における電界強度の上昇を的確に検知してマイクロ波照射部３１の出力を下げることができるので、回転槽１内の乾燥対象物に含まれる金属などによるスパークの発生を抑制することができる。
【０１０１】
実施の形態７においては、回転槽１内の電磁波の強度を直接検知してマイクロ波の出力を調整するので、より的確に回転槽１内の電界強度を調整し、スパークの発生を抑えることができる。回転槽１内の複数の位置にマイクロ波検知部３６を設け、回転槽１内の複数の位置における電磁波の強度を検知してもよい。これにより、回転槽１内に定在波が発生している状況においても、回転槽１内の電磁波の強度を的確に把握してマイクロ波照射部３１の出力を調整することができる。また、回転槽１内の電磁波の強度分布から水分量の分布を推定し、水分量の分布に応じて定在波の位置などを調整することにより、回転槽１内の電磁波の強度分布を調整してもよい。これにより、乾燥効率をより向上させることができる。
【０１０２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【０１０３】
なお、本発明の適用範囲は、上記実施の形態において説明されたドラム式の衣類乾燥機（洗濯乾燥機）に限定されるものではない。例えば、ドラム式以外の吊り干し乾燥方式やパルセータ方式の縦型洗濯乾燥機等に適用されてもよい。
【符号の説明】
【０１０４】
１  回転槽、２  筐体、３  水槽、４  ダンパ、５  扉体、６  駆動モータ、７  循環風路、８  吹出口、９  排出口、１０  排水弁、１１  排水管、１２  給水弁、１３  給水管、１４  吸気風路、１５  排気風路、１６  送風ファン、１７  ヒータ、１８  流入温度検知部、２０  制御装置、３０  マイクロ波加熱装置、３１  マイクロ波照射部、３２  マイクロ波照射口、３３  反射部、３４  導波管、３６  マイクロ波検知部、４０  マイクロ波制御装置、４１  強度取得部、４２  出力調整部、４５  平滑化部、４６  周期検知部、５０  洗濯乾燥機。
【図１】
2020116097.tif 000003
【図２】
2020116097.tif 000004
【図３】
2020116097.tif 000005
【図４】
2020116097.tif 000006
【図５】
2020116097.tif 000007
【図６】
2020116097.tif 000008
【図７】
2020116097.tif 000009
【図８】
2020116097.tif 000010
【図９】
2020116097.tif 000011
【図１０】
2020116097.tif 000012
【図１１】
2020116097.tif 000013
【図１２】
2020116097.tif 000014
【図１３】
2020116097.tif 000015
【図１４】
2020116097.tif 000016
【図１５】
2020116097.tif 000017